(57)【要約】【課題】情報記録ディスクに対してデータの記録および／または再生を行なうための光学ヘッドにかかる設計の自由度を高めて、光学素子を直線移動させるための機構の設置スペースを確実に且つ容易に確保できるようにする。【解決手段】光学素子１４を保持するホルダ３０と、このホルダ３０を直線移動させる送りねじ２２と、この送りねじ２２を駆動する駆動部２１とを備え、送りねじ２２をホルダ３０の直線移動方向に対して所定の角度を有して配設する。【選択図】図２
2008108399.tif 000002
【特許請求の範囲】
【請求項１】
光学素子を保持するホルダと、
前記ホルダを直線移動させる送りねじと、
前記送りねじを駆動する駆動部とを備え、
前記送りねじが、前記ホルダの直線移動方向に対して所定の角度を有して配設されることを特徴とする光学ヘッド。
【請求項２】
前記送りねじのねじ溝に当接する前記ホルダの当接部の延在する方向の長さは、前記所定の角度に応じたものであることを特徴とする請求項１記載の光学ヘッド。
【請求項３】
前記送りねじのねじ溝に当接する前記ホルダの当接部の延在する方向の長さは、前記直線移動距離に応じたものであることを特徴とする請求項１又は２記載の光学ヘッド。
【請求項４】
前記送りねじのねじ溝の方向が、前記直線移動方向に対して垂直もしくは略垂直であることを特徴とする請求項１〜３のいずれか１項に記載の光学ヘッド。
【請求項５】
前記送りねじのねじ溝の方向が、前記直線移動方向に対して垂直もしくは略垂直であるとともに、
前記送りねじのねじ溝に当接する前記ホルダの当接部の延在する方向の長さｎが、前記所定の角度αおよび前記ホルダの直線移動距離ｍに応じて下記式（１）が成り立つように設定されていることを特徴とする請求項１記載の光学ヘッド。
ｎ  ≧  ｍ × ｔａｎα  ・・・（１）
【請求項６】
更に、前記ホルダの前記直線移動を案内するガイド軸を備えることを特徴とする請求項１〜５のいずれか１項に記載の光学ヘッド。
【請求項７】
前記光学素子が、情報記録ディスクに投光するレーザ光の光源と前記情報記録ディスクの情報記録面に前記レーザ光を集光する対物レンズとの間に介装されたコリメートレンズであることを特徴とする請求項１〜６のいずれか１項に記載の光学ヘッド。
【請求項８】
情報記録ディスクに対してデータの記録および／または再生を行なう光学ヘッドと、前記光学ヘッドを直線移動させる第１送りねじとを備え、
前記光学ヘッドが、
光学素子を保持するホルダと、
前記ホルダを直線移動させる第２送りねじと、
前記第２送りねじを駆動する駆動部とを備え、
前記第２送りねじが、前記ホルダの直線移動方向に対して所定の角度を有して配設されることを特徴とするディスクドライブ装置。
【請求項９】
前記光学ヘッドの前記第２送りねじのねじ溝に当接する前記ホルダの当接部の延在する方向の長さは、前記所定の角度および前記ホルダの直線移動距離に応じたものであることを特徴とする請求項８記載のディスクドライブ装置。
【請求項１０】
前記光学ヘッドの前記第２送りねじのねじ溝の方向が、前記直線移動方向に対して垂直もしくは略垂直であることを特徴とする請求項８又は９記載のディスクドライブ装置。
【発明の詳細な説明】
【技術分野】
【０００１】
本発明は、情報記録ディスク（例えば光ディスク）に対してデータの記録および／または再生を行なうディスクドライブ装置に関し、特に光学ヘッドに関する。
【背景技術】
【０００２】
近年、情報記録ディスクとしての光ディスクは、映像データや音声データおよびコンピュータデータなどの多種多様なデータを記録する媒体として広く使用されており、光ディスクに対する高密度化および大容量化の要求は、ますます強くなっている。
光ディスクに対するデータの記録および／または再生を行なう光学ヘッド（光ピックアップ装置）は、光ディスクの記録層に光を照射することによりデータの記録／再生を行なうが、光ディスクには信号記録層上に光を透過するカバー層があり、光学ヘッドから投光された光はカバー層を透過して信号記録層に照射される。したがって、光学ヘッドの対物レンズは、光ディスクのカバー層の厚さが規格値における標準値のときに、信号記録層上で球面収差が最小になるように設計されている。
【０００３】
そのため、カバー層の厚さに製造上のばらつきがある場合には球面収差が発生してしまう。
また、片面に信号記録層を一層だけ有する光ディスクを対象に設計された対物レンズでは、片面に複数の信号記録層を有する光ディスクに対応することができない。
さらに、ブルーレイディスク（blu-rayディスク；登録商標）に対してデータの記録／再生を行なう光学ヘッドでは、対物レンズのＮＡ（Numerical Aperture）が高いため、球面収差が発生し易い。
【０００４】
そこで、従来から、図５に示すごとく、光学ヘッド１００において、球面収差を補正するために、対物レンズ１０１に平行光を入射させるコリメートレンズまたは中間リレーレンズ（ここではコリメートレンズ１０２）をＬＤ（Laser Diode）１０３からのレーザ光の光軸方向に移動可能に構成している。なお、図５において、破線で示すコリメートレンズ１０２´は移動時のコリメートレンズ１０２を示している。
【０００５】
また、光学ヘッド１００において、ＬＤ１０３から投光されたレーザ光は、プリズム１０４，ＰＢＳ（Polarization Beam Splitter；偏光ビームスプリッタ）１０５，コリメートレンズ１０２，１／４波長板１０６，反射ミラー１０７，および対物レンズ１０１を順に介して光ディスクに照射される。また、光ディスクからの反射光は、ＰＢＳ１０５，反射ミラー１０８，シリンドリカルレンズ（以下、単にシリンドリカルという）１０９，プリズム１０４を順に介してＰＤ（Photo Detector）１１０に入力される。このような構成により、光学ヘッド１００は光ディスクに対してデータの読み書きを行なう。
【０００６】
そして、光学ヘッド１００では、コリメートレンズ１０２を移動させることによりコリメートレンズ１０２からの放射光（つまり、対物レンズ１０１への入射光）を、収束光もしくは拡散光に変更することによって球面収差を補正する。
具体的には、光ディスクのカバー層が対物レンズ１０１の設計基準よりも薄い場合には、コリメートレンズ１０２を移動して対物レンズ１０１に収束光を入射することによって、カバー層が設計基準よりも薄くなったことで生じた球面収差を対物レンズ１０１で発生する球面収差で相殺して信号記録層では略無収差になるようにする。
【０００７】
一方、光ディスクのカバー層が対物レンズ１０１の設計基準よりも厚い場合には、コリメートレンズ１０２を移動して対物レンズ１０１に拡散光を入射することによって、信号記録層では無収差になるようにする。
なお、光学素子を移動させることで球面収差を解消する他の技術として、ビームエキスパンダをコリメートレンズと対物レンズとの間等に配置して、このビームエキスパンダを光軸方向に移動させて球面収差を解消する技術や、ビームエキスパンダを構成する２枚のレンズ間の距離を光軸方向に変更することによって球面収差を解消する技術も提案されている（例えば、下記特許文献１参照）。
【０００８】
ここで、図６を参照しながら、上記図５に示す従来の光学ヘッド１００におけるコリメートレンズ１０２のより具体的な移動機構について説明する。なお、図６において、光学ヘッド１００の各素子はベース１００ａ上に搭載され、対物レンズ１０１は可動式ホルダ（対物レンズアクチュエータ）１１１に保持されている。
そして、図６に示すように、コリメートレンズ１０２はホルダ１１２に保持され、このホルダ１１２がガイド主軸１１３に案内されて光軸方向（両矢印ｘ参照）に直線移動可能に構成されている。
【０００９】
つまり、ホルダ１１２はガイド主軸１１３に案内されるとともに、駆動モータ１１４に接続された送りねじ１１５のねじ山フランク（ねじ溝）に当接しており、送りねじ１１５が駆動モータ１１４によって回転駆動されることにより、コリメートレンズ１０２を保持したホルダ１１２が、ガイド主軸１１３に沿って直線移動する。
【特許文献１】特開２００３−０４５０６８号公報
【発明の開示】
【発明が解決しようとする課題】
【００１０】
ところで、上記図５，図６に示すごとく、光学ヘッド１００においては、複数の光学素子１０１，１０２，１０５〜１０８を一直線上に直列的に配置する必要があり、さらに、コリメートレンズ１０２（ホルダ１１２）を光軸方向に移動可能に構成するための駆動モータ１１４および送りねじ１１５を複数の光学素子１０１，１０２，１０５〜１０８に対して平行に並列配置しなければならず、光学ヘッド１００の設計の自由度は非常に低く、特に駆動モータ１１４の設置スペースの確保が困難であった。
【００１１】
つまり、図６に示すごとく、駆動モータ１１４は、必然的に、対物レンズ１０１の可動式ホルダ１１１近傍に設置しなければならず、したがって、設置スペースの確保が困難であるとともに、符号Ｐで示す破線の範囲ではコイルヨーク接着スペース確保が困難になり、さらには、符号Ｑで示す破線の範囲では可動式ホルダ１１１の可動部分との干渉のおそれがあった。
【００１２】
駆動モータ１１４は、大きな駆動力を発揮する外形がより大きなものを使用することが望ましいが、上述した設計の自由度や設置スペースの課題があるので、従来の光学ヘッド１００では、駆動モータ１１４の駆動力をより大きなものにすることに限界があった。
また、光学ヘッド１００は、図７に示すごとく、ディスクドライブ装置１２０上の光ディスク１３０の半径方向、つまり、光ディスク１３０の内周側（図中破線で示す光学ヘッド１００参照）から外周側（図中実線で示す光学ヘッド１００参照）に両矢印ｙに示す方向に直線移動可能に配設されるので、光学ヘッド１００は光ディスク１３０を囲む直方体形状のディスクドライブ装置１２０（より具体的には機構ベース１２１）の角に配置可能に形成される。
【００１３】
したがって、光学ヘッド１００における設計の自由度を向上させて駆動モータ１１４の設置スペースを確保するために、ベース１００ａの形状を変更することも非常に困難である。
本発明は、このような課題に鑑み提案されたもので、情報記録ディスクに対してデータの記録および／または再生を行なうための光学ヘッドにかかる設計の自由度を高めて、光学素子を直線移動させるための機構の設置スペースを確実に且つ容易に確保できるようにすることを目的とする。
【課題を解決するための手段】
【００１４】
上記目的を達成するために、本発明の光学ヘッドは、光学素子を保持するホルダと、このホルダを直線移動させる送りねじと、この送りねじを駆動する駆動部とを備え、前記送りねじが、前記ホルダの直線移動方向に対して所定の角度を有して配設されることを特徴としている（請求項１）。
なお、前記送りねじのねじ溝に当接する前記ホルダの当接部の延在する方向の長さは、前記所定の角度に応じたものであることが好ましい（請求項２）。
【００１５】
また、前記送りねじのねじ溝に当接する前記ホルダの当接部の延在する方向の長さは、前記直線移動距離に応じたものであることが好ましい（請求項３）。
さらに、前記送りねじのねじ溝の方向が、前記直線移動方向に対して垂直もしくは略垂直であることが好ましい（請求項４）。
なお、前記送りねじのねじ溝の方向が、前記直線移動方向に対して垂直もしくは略垂直であるとともに、前記送りねじのねじ溝に当接する前記ホルダの当接部の延在する方向の長さｎが、前記所定の角度αおよび前記ホルダの直線移動距離ｍに応じて下記式（１）が成り立つように設定されていることが好ましい（請求項５）。
【００１６】
ｎ  ≧  ｍ × ｔａｎα  ・・・（１）
更に、前記ホルダの前記直線移動を案内するガイド軸を備えることが好ましい(請求項６)。
また、前記光学素子が、情報記録ディスクに投光するレーザ光の光源と前記情報記録ディスクの情報記録面に前記レーザ光を集光する対物レンズとの間に介装されたコリメートレンズであることが好ましい（請求項７）。
【００１７】
また、上記目的を達成するために、本発明のディスクドライブ装置は、上述した光学ヘッドと、この光学ヘッドを直線移動させる送りねじとを備えて構成されていることを特徴としている（請求項８〜１０）。
【発明の効果】
【００１８】
このように、本発明によれば、送りねじ（第２送りねじ）が、ホルダの直線移動方向に対して所定の角度を有して配設されるので、上述した従来の光学ヘッドのごとく、送りねじをホルダの直線移動方向に対して平行に配置しなくても、光学素子を保持したホルダを、送りねじが駆動部によって駆動されることによって、確実に直線移動させることができ、したがって、光学ヘッドにかかる設計の自由度を高めることができるとともに、光学素子を直線移動させるための機構の設置スペースを確実に且つ容易に確保することができる。
【００１９】
つまり、ホルダを直線移動可能に構成しながら、送りねじをかかる直線移動方向に対して所定の角度を有するように配置できるので、送りねじを駆動させる駆動部の設置スペースを、かかる直線移動方向上の光学素子が密集する場所から駆動部の大きさを拡張可能な場所へ変更することができる。これにより、光学ヘッドの設計も形成も容易になる。
【発明を実施するための最良の形態】
【００２０】
以下、図面を参照しながら本発明の実施の形態について説明する。
〔１〕本発明の一実施形態について
図１に本発明の一実施形態としてのディスクドライブ装置１の要部構成を示す。この図１に示すごとく、本ディスクドライブ装置１は、スピンドルモータ部２に取り付けられた光ディスク（情報記録ディスク）３を囲む直方体形状をしており、ディスクドライブ装置１の外形に沿うように略矩形状に形成された機構ベース４のコーナーに光学ヘッド（光ピックアップ装置）１０が配設されている。
【００２１】
なお、スピンドルモータ部２は、装着された光ディスク３を回転させるものである。
また、ダンパ５ａ〜５ｄは、それぞれ、機構ベース４に対する衝撃を吸収するものである。
光学ヘッド１０は、光ディスク３に対してデータの記録および／または再生を行なうものであり、スピンドルモータ部２に回転可能に固着された光ディスク３の内周側（つまり、中心側）から外周側に直線移動可能に設けられている。
【００２２】
具体的には、光学ヘッド１０のベース１０ａ（図２参照）が、第１駆動モータ７に接続された第１送りねじ８のねじ山フランク（ねじ溝）に当接し、第１送りねじ８が第１駆動モータ７によって回転駆動されることによって第１ガイドシャフト６ａおよび第２ガイドシャフト６ｂに案内されて両矢印Ｘに示す方向に直線移動する。
つまり、光学ヘッド１０は、図中破線で示すごとく光ディスク３の内周側から、図中実線で示すごとく光ディスク３の外周側までの範囲内を直線移動可能に構成されている。
【００２３】
図２に光学ヘッド１０の要部構成を示す。この図２に示すように、光学ヘッド１０は、ベース１０ａ上に、ＬＤ（Laser Diode；光源）１１，プリズム１２，ＰＢＳ（Polarization Beam Splitter；偏光ビームスプリッタ）１３，コリメートレンズ１４，１／４波長板１５，対物レンズ１６，反射ミラー１７，シリンドリカルレンズ（以下、単にシリンドリカルという）１８，ＰＤ（Photo Detector）１９，第３ガイドシャフト（ガイド軸）２０，第２駆動モータ（駆動部）２１，および第２送りねじ（送りねじ）２２をそなえて構成されている。
【００２４】
光学ヘッド１０において、ＬＤ１１から投光されたレーザ光は、プリズム１２，ＰＢＳ１３，コリメートレンズ１４，１／４波長板１５，および対物レンズ１６を順に介して光ディスク３に照射される。なお、図２における一点鎖線はレーザ光の光軸を示している。
また、１／４波長板１５と対物レンズ１６との間には、１／４波長板１５を透過した光を対物レンズ１６に入射するための反射ミラー（図示略）がそなえられている。
【００２５】
さらに、光ディスク３の情報記録層にレーザ光を集光する対物レンズ１６は、可動式ホルダ（対物レンズアクチュエータ）１６ａに保持されている。
そして、対物レンズ１６から光ディスク３の情報記録面（層）に投下されたレーザ光の反射光は、対物レンズ１６，１／４波長板１５，コリメートレンズ１４，ＰＢＳ１３，反射ミラー１７，シリンドリカル１８，プリズム１２を順に介してＰＤ１９に入力される。
【００２６】
このような構成により、ディスクドライブ装置１は、光学ヘッド１０を用いて光ディスク３に対してデータの読み書きを行なう。
ここで、コリメートレンズ１４は、対物レンズ１６に平行光を入射させるものであり、可動ホルダ（ホルダ）３０に保持されている。
可動ホルダ３０は、コリメートレンズ１４を透過する、ＬＤ１１から投光されたレーザ光の光軸方向（図中の一点鎖線参照）に直線移動可能に配設されている。
【００２７】
具体的には、可動ホルダ３０は、第２駆動モータ２１に接続された第２送りねじ２２のねじ山フランク（ねじ溝の斜面部分；ねじ溝）に当接する当接部（凸部）３１をそなえ、この当接部３１が第２送りねじ２２に接触し、第２送りねじ２２が第２駆動モータ２１によって回転駆動されることによって、可動ホルダ３０は回転する第２送りねじ２２から動力を得て、第３ガイドシャフト２０に案内されて両矢印Ｙに示す方向に直線移動する。
【００２８】
つまり、可動ホルダ３０は、図２中実線で示すごとくＰＢＳ１３側の位置から、図２中破線で示す１／４波長板１５側の位置までの範囲内を直線移動可能に構成されている。
なお、当接部３１は、第２送りねじ２２との当接部分における第２送りねじ２２のねじ溝に沿って所定の長さを有するように延在している。
第３ガイドシャフト２０は、上述のごとく可動ホルダ３０の直線移動を案内するものであり、可動ホルダ３０の直線移動方向（つまり、光軸方向）に対して平行に配設されている。
【００２９】
それに対して、第２送りねじ２２は、可動ホルダ３０の直線移動方向に対して所定の角度を有して配設されている。
図３に図２におけるＡ−Ａ´矢視断面図を示す。この図３に示すように、可動ホルダ３０は、コリメートレンズ１４を保持するための第１開口３２と第３ガイドシャフト２０を貫通されるための第２開口３３とをそなえている。
【００３０】
つまり、可動ホルダ３０は、第２開口３３に貫通された第３ガイドシャフト２０に対して摺動可能に構成されている。
また、可動ホルダ３０の当接部３１は、第２送りねじ２２に向けて延在する片持ち梁状部３４に設けられている。
ここで、図４を参照しながら、可動ホルダ３０の直線移動時の当接部３１の第２送りねじ２２との当接状態について説明する。なお、図４において、可動ホルダ３０を、ＰＢＳ１３に最も近接する位置（図４中の左側）にある場合は符号３０ａで示し、可動ホルダ３０が可動範囲の中間位置（図４中の中央）にある場合は符号３０ｂで示し、１／４波長板１５に最も近接する位置（図４中の右側）にある場合は符号３０ｃで示す。
【００３１】
図４に示すごとく、可動ホルダ３０はコリメートレンズ１４を保持しながら符号３０ａで示す位置から符号３０ｃに示す位置までの距離ｍ間を直線的に往復動しうるように構成されており、第２送りねじ２２が可動ホルダ３０の直線移動方向（第３ガイドシャフト２０）に対して所定の角度αを有していることに起因して、可動ホルダ３０の当接部３１における第２送りねじ２２のねじ山フランクとの当接点が可動ホルダ３０の位置に応じて変化する。
【００３２】
つまり、当接部３１の第２送りねじ２２のねじ山フランクとの当接点は、符号３０ａで示す位置では点３１ａとなり、符号３０ｂで示す位置では点３１ｂとなり、符号３０ｃで示す位置では点３１ｃとなり、可動ホルダ３０が符号３０ａで示す位置から符号３０ｃで示す位置まで移動に伴って、当接部３１の当接点が点３１ａから点３１ｃへと当接部３１の上方から下方に移動していく。
【００３３】
このように、第２送りねじ２２が可動ホルダ３０の直線移動方向に対して所定の角度αを有しているので、可動ホルダ３０が可動範囲のいずれの位置においても第２送りねじ２２のねじ山フランクと確実に当接するように、当接部３１が所定の長さｎを有するように延在している。
つまり、当接部３１の所定の長さｎは、後述する式（３）に示すごとく、第２送りねじ２２にかかる所定の角度α、および、可動ホルダ３０の直線移動距離（移動可能範囲）ｍに応じている。
【００３４】
さらに、第２送りねじ２２のねじ溝の方向は、可動ホルダ３０の直線移動方向（つまり、第３ガイドシャフト２０）に対して垂直もしくは略垂直（ここでは垂直）に形成されている。これにより、当接部３１を介した可動ホルダ３０への直線移動のための動力の伝達効率が向上する。
このとき、第２送りねじ２２の可動ホルダ３０の直線移動方向に対して所定の角度αを有しているので、第２送りねじ２２の軸心方向に対するねじ溝の角度βは、下記式（２）が成立するように設定される。
【００３５】
β ＝ ９０°− α  ・・・（２）
つまり、第２送りねじ２２は、上記式（２）が成立するようにねじ進み（リード）角度を設定するか、もしくは、上記式（２）が成立するように第２送りねじ２２を配設する（つまり、傾きαを設定する）。
さらに、当接部３１の所定の長さｎは、下記式（３）の式が成り立つように設定されている。
【００３６】
ｎ ≧ ｍ × ｔａｎα  ・・・（３）
これにより、可動ホルダ３０が符号３０ａで示す位置でも符号３０ｃで示す位置でも、当接部３１が第２送りねじ２２のねじ山フランクに確実に当接することができ、第２送りねじ２２が第２駆動モータ２１によって回転駆動されることによって、可動ホルダ３０が第３ガイドシャフト２０に沿って移動することができる。
【００３７】
このように、本発明の一実施形態としてのディスクドライブ装置１（光学ヘッド１０）によれば、第２送りねじ２２が、可動ホルダ３０の直線移動方向に対して所定の角度αを有して配設されるとともに、可動ホルダ３０が第２送りねじ２２のねじ山フランクに当接し、その当接部分におけるねじ溝に沿って延在する当接部３１をそなえて構成されているので、従来の光学ヘッドのごとく第２送りねじ２２を可動ホルダ３０の直線移動方向に対して平行に配置しなくても、コリメートレンズ１４を保持した可動ホルダ３０を、第２送りねじ２２が第２駆動モータ２１によって回転駆動されることによって、確実に直線移動させることができ、したがって、光学ヘッド１０にかかる設計の自由度を高めることができるとともに、コリメートレンズ１４を光軸方向に直線移動させるための機構（ここでは、第２駆動モータ２１）の設置スペースを確実に且つ容易に確保することができる。
【００３８】
つまり、可動ホルダ３０を光軸方向に直線移動可能に構成しながら、第２送りねじ２２をかかる直線移動方向に対して所定の角度αを有するように配置することができるので、第２送りねじ２２を回転駆動させる第２駆動モータ２１の設置スペースを、かかる直線移動方向上の光学素子が密集する場所からモータの大きさを拡張可能な場所へ変更することができる。これにより、光学ヘッド１０の設計も形成も容易になる。
【００３９】
さらに、例えば、図２に示すごとく、第２駆動モータ２１を、上記図６の従来の光学ヘッド１００の駆動モータ１１４よりも大型化することができるので、トルクに余裕を持つことができ、可動ホルダ３０の安定動作や高速動作が可能になる。
なお、このとき、前述した従来の光学ヘッド１００に対して、光学ヘッド１０では第２送りねじ２２のねじ軸長、および、可動ホルダ３０の当接部３１が長くなるだけなので、コストが嵩むことがない。
【００４０】
また、可動ホルダ３０の当接部３１の長さｎが、第２送りねじ２２の所定の角度αに応じているので、可動ホルダ３０は第３ガイドシャフト２０に沿った直線移動を確実に行なうことができる。
さらに、当接部３１の長さｎが、可動ホルダ３０の直線移動距離に応じているので、可動ホルダ３０は第３ガイドシャフト２０に沿った直線移動を確実に行なうことができる。
【００４１】
より具体的には、当接部３１の長さｎが上述した式（３）の関係を満たすように設定されているので、可動ホルダ３０の直線移動はより確実なものになる。
また、第２送りねじ２２の当接部３１との当接部分におけるねじ溝の方向が、可動ホルダ３０の直線移動方向に対して垂直もしくは略垂直に形成されるか、もしくは、第２送りねじ２２の当接部３１との当接部分におけるねじ溝の方向が可動ホルダ３０の直線移動方向に対して垂直もしくは略垂直になるように、第２送りねじ２２が所定の角度αを有して配設されるので、当接部３１を介した可動ホルダ３０への直線移動のための動力の伝達効率が向上する。すなわち、第２送りねじ２２の回転時に、当接部３１との当接部分において進み角で生じる、第２送りねじ２２の軸と直行する送り方向以外の発生力（伝導動力）を減らすことが可能になり、可動ホルダ３０の精密な駆動が可能になる。
【００４２】
さらに、第３ガイドシャフト２０によって可動ホルダ３０の直線移動が案内されるので、可動ホルダ３０は、確実に直線移動可能になる。
なお、光学ヘッド１では、可動ホルダ３０が光ディスク３に投光するレーザ光の光源（ＬＤ）１１と光ディスク３の情報記録層にレーザ光を集光する対物レンズ１６との間に介装されたコリメートレンズ１４を保持し、コリメートレンズ１４をレーザ光の光軸方向に直線移動可能に構成するので、光ディスク３の情報記録層の上層のカバー層の製造むらや、光ディスク３がブルーレイディスクであることに起因して発生する球面収差を確実に解消することができる。
【００４３】
〔２〕その他
なお、本発明は上述した実施形態に限定されるものではなく、本発明の趣旨を逸脱しない範囲で種々変形して実施することができる。
例えば、上述した実施形態では、第２送りねじ２２の可動ホルダ３０の当接部３１との当接部分におけるねじ溝の方向が、可動ホルダ３０の直線移動方向に対して垂直もしくは略垂直になるように構成したが、本発明はこれに限定されるものではなく、第２送りねじ２２の製造コストの低コスト化や、設計自由度をより高めるために、かかるねじ溝の方向が可動ホルダ３０の直線移動方向に対して垂直でなくてもよい。ただし、この場合でも、可動ホルダ３０の当接部３１は、かかる当接部分におけるねじ溝に沿って延在する。
【００４４】
なお、上述した実施形態では、可動ホルダ３０が保持する光学素子がコリメートレンズ１４である場合を例にあげて説明したが、本発明はこれに限定されるものではなく、光軸方向に直線移動可能に構成される光学素子はコリメートレンズ１４に限定されるものではない。
さらに、上述した実施形態における光学ヘッド１０がそなえる光学素子の種類や数、および、それらの配置は本発明において限定されるものではない。
【図面の簡単な説明】
【００４５】
【図１】本発明の一実施形態としてのディスクドライブ装置の構成を示す図である。
【図２】本発明の一実施形態としてのディスクドライブ装置の光学ヘッドの要部構成を示す図である。
【図３】図２におけるＡ−Ａ´矢視断面図である。
【図４】本発明の一実施形態としてのディスクドライブ装置の光学ヘッドの可動ホルダの第２送りねじとの当接状態を説明するための図である。
【図５】従来の光学ヘッドの構成例を示す図である。
【図６】従来の光学ヘッドの要部構成を示す図である。
【図７】従来の光学ヘッドを搭載したディスクドライブ装置を示す図である。
【符号の説明】
【００４６】
１，１２０  ディスクドライブ装置
２  スピンドルモータ部
３，１３０  光ディスク（情報記録ディスク）
４，１２１  機構ベース
５ａ〜５ｄ  ダンパ
６ａ  第１ガイドシャフト
６ｂ  第２ガイドシャフト
７  第１駆動モータ
８  第１送りねじ
１０，１００  光学ヘッド
１０ａ，１００ａ  ベース
１１，１０３  ＬＤ（Laser Diode；光源）
１２，１０４  プリズム
１３，１０５  ＰＢＳ（Polarization Beam Splitter）
１４，１０２，１０２´  コリメートレンズ（光学素子）
１５，１０６  １／４波長板
１６，１０１  対物レンズ
１６ａ，１１１  可動式ホルダ
１７，１０７，１０８  反射ミラー
１８，１０９  シリンドリカルレンズ
１９，１１０  ＰＤ（Photo Detector）
２０  第３ガイドシャフト（ガイド軸）
２１  第２駆動モータ（駆動部）
２２  第２送りねじ（送りねじ）
３０，３０ａ〜３０ｃ  可動ホルダ（ホルダ）
３１  当接部
３１ａ〜３１ｃ  当接点
３２  第１開口
３３  第２開口
３４  片持ち梁状部
【図１】
2008108399.tif 000003
【図２】
2008108399.tif 000004
【図３】
2008108399.tif 000005
【図４】
2008108399.tif 000006
【図５】
2008108399.tif 000007
【図６】
2008108399.tif 000008
【図７】
2008108399.tif 000009